(57)【特許請求の範囲】
【請求項１】
画像形成装置の内部で搬送される記録紙から発生する紙粉を収集する紙粉収集手段と、前記紙粉収集手段における紙粉の堆積量を検知する堆積量検知手段と、前記堆積量検知手段による検知結果を定期的に取得して、前記紙粉収集手段における紙粉増加量を定期的に算出する算出手段と、該算出手段による算出結果に基づいて、ユーザーによって前記画像形成装置にセットされる記録紙について、紙粉を発生させ易い紙種であるか否かを判定する判定手段と、該判定手段によって紙粉を発生させ易い紙種であると判定した場合に報知する報知手段とを備えることを特徴とする紙種判定装置。
【請求項２】
画像形成装置の内部で搬送される記録紙から発生する紙粉を収集する紙粉収集手段における紙粉の堆積量を検知する堆積量検知工程と、前記堆積量検知工程での検知結果を定期的に取得して、前記紙粉収集手段における紙粉増加量を定期的に算出する算出工程と、該算出工程での算出結果に基づいて、ユーザーによって前記画像形成装置にセットされる記録紙について、紙粉を発生させ易い紙種であるか否かを判定する判定工程と、該判定手段によって紙粉を発生させ易い紙種であると判定した場合に報知する報知工程とを実施することを特徴とする紙種判定方法。
【請求項３】
請求項１の紙種判定装置を備えた画像形成装置の内部で搬送される記録紙から発生する紙粉を画像形成装置内の互いに異なる位置で収集する複数の紙粉収集手段と、
それぞれの紙粉収集手段における紙粉堆積量をそれぞれ個別に検知する複数の堆積量検知手段と、
それら堆積量検知手段による検知結果を定期的に取得して複数の前記紙粉収集手段について紙粉増加量をそれぞれ個別に算出する第１処理、複数の前記紙粉収集手段について前記紙粉増加量の統計的ばらつき値をそれぞれ個別に算出する第２処理、複数の前記紙粉収集手段の間における前記紙粉増加量のばらつきを示す値である収集位置間ばらつき値を算出する第３処理、複数の前記紙粉収集手段についてそれぞれ算出した前記紙粉増加量の最新値及び前記統計的ばらつき値、並びに前記収集位置間ばらつき値について、正常であるか否かをそれぞれ個別に判別するための複数の弱判別値を、予め記憶している弱判別アルゴリズムによってそれぞれ個別に算出する第４処理、それぞれの前記弱判別値に対して固有の重み付け値を乗算する第５処理、及び、それぞれの乗算結果に基づいて、前記画像形成装置について、もうすぐ、搬送中の記録紙に対する紙粉の付着によって異常画像を発生させてしまうようになる異常前段状態であるか否かを判定するための指標値を算出する第６処理を実施する算出手段と、
前記指標値に基づいて前記画像形成装置について前記異常前段状態であるか否かを判定する判定手段と、
該判定手段によって前記異常前段状態であると判定した場合に報知する報知手段とを備えることを特徴とする状態判定装置。
【請求項４】
請求項３の状態判定装置において、
複数の前記紙粉収集手段をそれぞれ、互いの当接による搬送ニップに挟み込んだ記録紙を搬送する搬送ローラ対の近傍に配設したことを特徴とする状態判定装置。
【請求項５】
画像情報に基づいて記録紙に画像を形成する作像手段を備える画像形成装置において、
自らを被検対象とする請求項３又は４の状態判定装置を設けたことを特徴とする画像形成装置。
【発明の詳細な説明】
【技術分野】
【０００１】
本発明は、画像形成装置に使用される記録紙の紙種を判定する紙種判定装置や紙種判定方法に関するものである。また、画像形成装置について、搬送中の記録紙に紙粉を付着させることに起因する異常画像を発生させる直前の状態になったか否かを判定する状態判定装置や、これを備える画像形成装置に関するものである。
【背景技術】
【０００２】
複写機、ファクシミリ、プリンタ等の画像形成装置においては、保守が疎かであると、何らかの不具合による異常画像を引き起こしてしまうことがある。例えば、特許文献１に記載の画像形成装置のように、記録紙を搬送するレジストローラに付着した紙粉をブレードによってローラ表面から掻き落として回収箱に回収するものにおいて、回収箱からの紙粉の回収が疎かになったとする。すると、回収箱から溢れた紙粉を搬送中の記録シートに付着させて異常画像を引き起こすおそれがある。
【０００３】
そこで、特許文献１に記載の画像形成装置においては、回収箱内の紙粉の堆積量を互いに異なる位置で検知する複数の紙粉検知センサを設けている。そして、何れか１つの紙粉検知センサでも、その検知結果が閾値を超えた場合には、ユーザーに対して回収箱の保守が必要になった旨を報知する。これにより、紙粉の落下に起因する異常画像を引き起こす前に、回収箱の保守が必要になったことをユーザーに知らせることができる。
【発明の概要】
【発明が解決しようとする課題】
【０００４】
本発明者らは、ユーザーによって画像形成装置にセットされる記録紙が紙粉を発生させ易いものであるほど、装置内で搬送中の記録紙に対して紙粉を付着させることに起因する異常画像を発生させ易くなるリスクが高くなることを経験的に見出している。具体的には、画像形成装置内において、搬送中の記録紙に紙粉を付着させるおそれのある部材は、上述した回収箱だけではない。記録紙に接触しながらその搬送方向をガイドするガイド部材や、紙搬送路内で記録紙に接触しながら回転する搬送ローラなども、経時的に自らの表面上に紙粉を堆積させていき、やがてその紙粉を搬送中の記録紙に逆転移させてしまうことがある。このため、上述した回収箱の中の紙粉を箱から溢れさせることのないタイミングで定期的に回収していても、やがてガイド部材表面上などで堆積させた紙粉を搬送中の記録紙に転移させて異常画像を発生させることがある。ユーザーによってセットされる記録紙が紙粉を発生させ易いものであるほど、この種の異常画像を発生させるリスクが高くなるのである。
【０００５】
ガイド部材などの回収箱とは異なる部材から搬送中の記録紙への紙粉の転移に起因する異常画像が発生するようになった場合、ユーザーはその原因を特定することが困難であるため、サービスマンを呼んで対処してもらうのが一般的である。サービスマンの派遣にはコストがかかるため、保守費用を節約するためには、紙粉を発生させ難い記録紙を使用することが望ましい。また、前述のような異常画像が発生するようになった場合には、ユーザーの要請によって現場に赴いたサービスマンに対して、ユーザーによって画像形成装置にセットされていた記録紙が紙粉の発生させ易いものであったことを知らせることが望ましい。このようにすることで、異常画像の発生原因をサービスマンに特定させ易くすることが可能になるからである。しかしながら、特許文献１に記載の画像形成装置においては、ユーザーによって画像形成装置にセットされる記録紙について、紙粉を発生させ易いものであるか否かを判断することができない。
【０００６】
また、ガイド部材などから搬送中の記録紙への紙粉の転移に起因する異常画像が発生したには、上述したように、サービスマンの派遣によって対応することが一般的であるが、サービスマンの都合がすぐにつくとは限らない。場合によっては、数日間も待たされることもある。よって、異常画像を実際に発生させる異常状態になるよりも少し前に、もうすぐ発生させる異常前段状態になったことを検知して、その旨をユーザー等に知らせることが望ましい。しかしながら、特許文献１に記載の画像形成装置では、そのような異常前段状態を検知することはできなかった。
【０００７】
本発明は、以上の問題点に鑑みなされたものであり、その第１の目的とするところは、ユーザーによって画像形成装置にセットされる記録紙について、紙粉を発生させ易い紙種であるか否かを判定して報知することができる紙種判定装置や紙種判定方法を提供することである。
【０００８】
また、その第２の目的とするところは、上記第１の目的に加え、次のような状態判定装置や、これを備える画像形成装置を提供することである。即ち、画像形成装置について、回収箱とは異なるガイド部材等の部材から搬送中の記録紙に紙粉を転移させることに起因する異常画像を発生させる異常状態より少し前の異常前段状態になったことを判定して報知することができる状態判定装置等である。
【課題を解決するための手段】
【０００９】
上記第１の目的を達成するために、請求項１の発明は、画像形成装置の内部で搬送される記録紙から発生する紙粉を収集する紙粉収集手段と、前記紙粉収集手段における紙粉の堆積量を検知する堆積量検知手段と、前記堆積量検知手段による検知結果を定期的に取得して、前記紙粉収集手段における紙粉増加量を定期的に算出する算出手段と、該算出手段による算出結果に基づいて、ユーザーによって前記画像形成装置にセットされる記録紙について、紙粉を発生させ易い紙種であるか否かを判定する判定手段と、該判定手段によって紙粉を発生させ易い紙種であると判定した場合に報知する報知手段とを備えることを特徴とするものである。
また、請求項２の発明は、画像形成装置の内部で搬送される記録紙から発生する紙粉を収集する紙粉収集手段における紙粉の堆積量を検知する堆積量検知工程と、前記堆積量検知工程での検知結果を定期的に取得して、前記紙粉収集手段における紙粉増加量を定期的に算出する算出工程と、該算出工程での算出結果に基づいて、ユーザーによって前記画像形成装置にセットされる記録紙について、紙粉を発生させ易い紙種であるか否かを判定する判定工程と、該判定手段によって紙粉を発生させ易い紙種であると判定した場合に報知する報知工程とを実施することを特徴とするものである。
上記第２の目的を達成するために、請求項３の発明は、請求項１の紙種判定装置を備えた画像形成装置の内部で搬送される記録紙から発生する紙粉を画像形成装置内の互いに異なる位置で収集する複数の紙粉収集手段と、それぞれの紙粉収集手段における紙粉堆積量をそれぞれ個別に検知する複数の堆積量検知手段と、それら堆積量検知手段による検知結果を定期的に取得して複数の前記紙粉収集手段について紙粉増加量をそれぞれ個別に算出する第１処理、複数の前記紙粉収集手段について前記紙粉増加量の統計的ばらつき値をそれぞれ個別に算出する第２処理、複数の前記紙粉収集手段の間における前記紙粉増加量のばらつきを示す値である収集位置間ばらつき値を算出する第３処理、複数の前記紙粉収集手段についてそれぞれ算出した前記紙粉増加量の最新値及び前記統計的ばらつき値、並びに前記収集位置間ばらつき値について、正常であるか否かをそれぞれ個別に判別するための複数の弱判別値を、予め記憶している弱判別アルゴリズムによってそれぞれ個別に算出する第４処理、それぞれの前記弱判別値に対して固有の重み付け値を乗算する第５処理、及び、それぞれの乗算結果に基づいて、前記画像形成装置について、もうすぐ、搬送中の記録紙に対する紙粉の付着によって異常画像を発生させてしまうようになる異常前段状態であるか否かを判定するための指標値を算出する第６処理を実施する算出手段と、前記指標値に基づいて前記画像形成装置について前記異常前段状態であるか否かを判定する判定手段と、該判定手段によって前記異常前段状態であると判定した場合に報知する報知手段とを備えることを特徴とするものである。
また、請求項４の発明は、請求項３の状態判定装置において、複数の前記紙粉収集手段をそれぞれ、互いの当接による搬送ニップに挟み込んだ記録紙を搬送する搬送ローラ対の近傍に配設したことを特徴とするものである
また、請求項５の発明は、画像情報に基づいて記録紙に画像を形成する作像手段を備える画像形成装置において、自らを被検対象とする請求項３又は４の状態判定装置を設けたことを特徴とするものである。
【発明の効果】
【００１０】
請求項１又は２の発明においては、ユーザーによって画像形成装置にセットされる記録紙が紙粉を発生させ易いものであるほど、紙粉収集手段内での堆積紙粉の増加量が大きくなる。そして、このような増加量を、堆積量検知手段による検知結果を定期的に取得した結果に基づいて算出することで、ユーザーによって画像形成装置にセットされる記録紙について、紙粉を発生させ易い紙種であるか否かを判定して報知することができる。
【００１１】
また、請求項３の発明や、請求項３の発明特定事項の全てを含む発明においては、次に説明する理由により、画像形成装置について異常前段状態であるか否かを判定して報知することができる。即ち、本発明者らは、記録紙から発生する紙粉を互いに異なる位置で収集する複数の紙粉収集手段と、それぞれの紙粉収集手段における紙粉堆積量をそれぞれ個別に検知する複数の堆積量検知手段とを設けた画像形成装置の試験機を用意した。そして、この試験機を用いて、後述する実験を行った。この実験では、それら堆積量検知手段による検知結果を定期的に取得した結果に基づいて、第１処理〜第６処理を実施した。第１処理は、複数の紙粉収集手段について紙粉増加量をそれぞれ個別に算出する処理である。また、第２処理は、それら紙粉増加量についてそれぞれ統計的ばらつき値を個別に算出する処理である。また、第３処理は、複数の紙粉収集手段の間における紙粉増加量のばらつきを示す収集位置間ばらつき値を算出する処理である。また、第４処理は、複数の紙粉収集手段についてそれぞれ算出した紙粉増加量の最新値、統計的ばらつき値、前述の収集位置間ばらつき値について、正常であるか否かをそれぞれ個別に判別するための複数の弱判別値を、それぞれ固有の弱判別アルゴリズムによって個別に算出する処理である。また、第５処理は、それぞれの弱判別値に対して固有の重み付け値を乗算する処理である。また、第６処理は、それぞれの乗算結果に基づいて、画像形成装置について異常前段状態であるか否かを判定するための指標値を算出する処理である。このようにして指標値を算出したところ、この指標値が、画像形成装置について異常前段状態であるか否かを判定するための値として有用に機能することがわかった。よって、第１処理〜第６処理を実施する本発明においては、その指標値に基づいて画像形成装置について異常前段状態になったことを判定して報知することができる。
【図面の簡単な説明】
【００１２】
【図１】実施形態に係る複写機を示す概略構成図。
【図２】同複写機のレジストローラ対とその周囲とを示す拡大構成図。
【図３】同複写機における第１レジストローラａと紙粉収集手段と給紙ローラとの位置関係を説明するための模式図。
【図４】実施形態に係る状態判定システムを説明するためのブロック図。
【図５】紙粉増加量の経時変化を示すグラフ。
【図６】紙粉増加量の統計的ばらつき値の経時変化を示すグラフ。
【図７】紙粉増加量の収集位置間ばらつき値の経時変化を示すグラフ。
【図８】ブースティング法による学習に利用したコンディションデータを用いて指標値Ｆを計算した結果を示すグラフ。
【図９】テスト用コンディションデータセットを用いて、ブースティング法によって構築された弱判別処理及び重み付き多数決処理の判定精度を検証したグラフ。
【発明を実施するための形態】
【００１３】
以下、本発明を適用した画像形成装置として、電子写真方式によって画像を形成するプリンタ部を搭載した複写機の実施形態について説明する。
図１は、実施形態に係る複写機を示す概略構成図である。同図において、実施形態に係る複写機は、記録紙Ｐに画像を形成するプリンタ部１と、原稿の画像を読み取るスキャナ１００と、スキャナに対してシート状の原稿を自動搬送する自動原稿給紙装置（以下、ＡＤＦと言う）１５０とを備えている。
【００１４】
プリンタ部１は、給紙部１０、中間転写ベルト２１を具備する転写ユニット２０、イエロー（Ｙ），マゼンタ（Ｍ），シアン（Ｃ），ブラック（Ｂｋ）のトナー像を形成する画像形成部３０Ｙ，Ｍ，Ｃ，Ｋなどを本体筐体内に備えている。４つの画像形成部３０Ｙ，Ｍ，Ｃ，Ｋは、中間転写ベルト２１の上方で、ベルト移動方向に沿って並ぶように配設されている。また、プリンタ部１は、各色の画像形成部３０Ｙ，Ｍ，Ｃ，Ｂｋの上方に配設された光書込ユニット３３や、プリンタ部内の各機器をコントロールする制御部５０も備えている。
【００１５】
各色の画像形成部３０Ｙ，Ｍ，Ｃ，Ｋについて説明する。なお、ここでは、Ｂｋ用の画像形成部３０Ｂｋについて説明するが、Ｙ、Ｍ，Ｃ用の画像形成部３０Ｙ，Ｍ，Ｃも、Ｂｋ用と同様の構成をしている。以下の説明においては、符号の末尾にＹ，Ｍ，Ｃ，Ｂｋが付されたものはそれぞれ、イエロー，マゼンタ，シアン，ブラック用の部材であることを示す。
【００１６】
画像形成部３０Ｂｋは、図中時計回り方向に回転駆動されるドラム状の感光体３１Ｂｋの周囲に、帯電ブラシローラ等から構成される帯電部３２Ｂｋ、現像装置３４Ｂｋ、１次転写ローラ３５Ｂｋ、ドラムクリーニング装置３６Ｂｋ等を有している。
【００１７】
画像形成時には、感光体３１Ｂｋは、制御部５０の制御下で図示しない駆動モータによって図中時計回り方向に１２０［ｍｍ／ｓｅｃ］の線速で回転駆動される。そして、高電圧の帯電バイアスを印加した帯電ブラシローラを感光体３１Ｂｋに当接させる帯電部３２Ｂｋにより、感光体３１Ｂｋの表面は−５００［Ｖ］に一様に帯電せしめられる。帯電バイアスは、ＤＣバイアスにＡＣバイアスが重畳されたものであっても、ＤＣバイアスだけからなるものであってもよい。
【００１８】
外部装置あるいは後述するスキャナ１００から送られてくるカラー画像信号は、制御部５０の図示しない画像信号発生回路で色変換処理などの画像処理が施され、Ｂｋ色の画像信号が光書込ユニット３３に出力される。光書込ユニット３３は、Ｂｋの画像信号を光信号に変換し、この光信号に基づいてレーザーダイオードを点滅させながら、一様帯電後の感光体３１Ｂｋ表面を光走査する。これにより、感光体３３Ｂｋの表面に静電潜像が形成される。
【００１９】
この感光体３１Ｂｋ上の静電潜像は現像装置３４Ｂｋによって現像されてＢｋトナー像となる。現像装置３４Ｂｋは、感光体３１Ｂｋの表面上にトナーを付着させる現像ローラ、現像ローラを回転駆動する駆動源としての図示しない現像モータ、現像ローラに現像バイアスを印加する図示しない高圧電源などを具備している。現像ローラは、直径１２［ｍｍ］のローラであり、現像モータによって１６０［ｍｍ／ｓｅｓ］の線速で回転駆動される。現像モータは、制御部５０によって回転駆動が制御される。なお、現像装置３４Ｂｋは、トナーを主成分とするいわゆる一成分現像剤を用い、これを担持した現像ローラを感光体３１Ｂｋに接触させて静電潜像を現像する１成分接触現像を行うものである。一成分現像剤を構成するトナーとしては、正規帯電特性がマイナス極性であるものを用いている。現像装置３４Ｂｋは、初期状態にて、このようなトナーをケーシング内に１８０ｇ収納している。
【００２０】
感光体３１Ｂｋの表面上で現像されたＢｋトナー像は、中間転写ベルト２１における転写ローラ３５Ｂｋに対する掛け回し箇所と、感光体３１Ｂｋとが当接するＢｋ用の１次転写ニップにて、転写ローラ３５Ｂｋに印加される１次転写バイアスやニップ圧の作用により、中間転写ベルト２１の表面上に１次転写される。
【００２１】
Ｂｋ用の１次転写ニップを通過した後の感光体３１Ｂｋ表面に付着している転写残トナーは、ドラムクリーニング装置３６Ｂｋによって感光体３１Ｂｋ表面から除去される。このようにして転写残トナーがクリーニングされた後の感光体３１Ｂｋの表面は、図示しない除電ランプによって除電されて次の画像形成に備えられる。
【００２２】
なお、感光体３１Ｂｋ、帯電部３２Ｂｋ、現像装置３４Ｂｋ、１次転写ローラ３５Ｂｋ、及びドラムクリーニング装置３６Ｂｋを具備する画像形成部３０Ｂｋにおいては、それら各部のうち、１次転写ローラ３５Ｂｋを除く部分がプロセスユニットとして構成されている。このプロセスユニットは、感光体３１Ｂｋ、帯電部３２Ｂｋ、現像装置３４Ｂｋ及びドラムクリーニング装置３６Ｂｋを共通の保持体で保持しており、それらが１つのユニットとして画像形成装置本体に対して一体的に着脱されるものである。
【００２３】
同様にして、Ｙ，Ｍ，Ｃ用の画像形成部３０Ｙ，Ｍ，Ｃは、感光体３１Ｙ，Ｍ，Ｃの周りに、帯電部、現像部、クリーニング部、除電ランプなどを備えている。そして、感光体３１Ｙ、３１Ｍ、３１Ｃの表面にＹ，Ｍ，Ｃトナー像を形成する。これらは、Ｙ，Ｍ，Ｃ用の１次転写ニップにて、中間転写ベルト２１上に重ね合わせて１次転写される。これにより、中間転写ベルト２１の表面上には、４色重ね合わせトナー像が形成される。
【００２４】
画像形成部３０Ｙ，Ｍ，Ｃ，Ｂｋの下方には、転写手段たる転写ユニット２０が配設されている。この転写ユニット２０は、無端状の中間転写ベルト２１、テンションローラ２２、クリーニング対向ローラ２３、ニップ裏側ローラ２４、ベルトクリーニング装置２５、２次転写ローラ２６などを備えている。テンションローラ２２、クリーニング対向ローラ２３、ニップ裏側ローラ２４は、それぞれ中間転写ベルト２１のループ内側で、自らの表面の一部にベルトを掛け回している。
【００２５】
２次転写ローラ２６は、中間転写ベルト２１のループ外側で、中間転写ベルト２１におけるニップ裏側ローラ２４に対する掛け回し領域に対してベルトおもて面側から当接して２次転写ニップを形成している。２次転写ローラ２６のローラ部は、ステンレス等の金属製芯金上に、導電性材料によって抵抗値を調整されたウレタン性の弾性体が被覆されたものである。
【００２６】
クリーニング対向ローラ２３は、後述するベルトクリーニング装置２５との間に中間転写ベルト２１を挟み込むように、ベルトループ内側に配設され、図示しない駆動手段によって図中反時計回り方向に回転駆動される。この回転駆動に伴って、中間転写ベルト２１が図中反時計回り方向に無端移動せしめられる。
【００２７】
テンションローラ２２は、バネによって付勢されることで中間転写ベルト２１に対してテンションを付与するようになっており、中間転写ベルト２１の無端移動に伴って従動回転する。
【００２８】
ニップ裏側ローラ２４は、ループ外側に配設された２次転写ローラ２６との間に中間転写ベルト２１を挟み込みながら、中間転写ベルト２１の無端移動に伴って従動回転する。中間転写ベルト２１のおもて面に当接して２次転写ニップを形成する２次転写ローラ２６に対しては、図示しない電源によって２次転写バイアスが印加される。これにより、ニップ裏側ローラ２４と２次転写ローラ２６との間に電位差が発生して、２次転写ニップ内において、マイナス極性のトナーからなる４色重ね合わせトナー像をベルト側から２次転写ローラ２６側に静電移動させる２次転写電界が形成される。
【００２９】
ベルトクリーニング装置２５は、ベルト表面に当接させた図示しないクリーニングブレードにより、２次転写ニップを通過した後の中間転写ベルト２１のおもて面に付着している転写残トナーをベルト表面から掻き落とす。このクリーニングブレードは、支持手段によって片持ち支持された状態で、自由端側をベルト移動方向上流側に向けながらベルトに当接させるいわゆるカウンター当接をするように配設されている。ベルトクリーニング装置２５によってベルト表面から除去された転写残トナーは、ベルトクリーニング装置２５の図示しない排出手段によってベルトクリーニング装置２５から排出された後、図示しない廃トナー収容器内に自然落下する。また、ベルトクリーニング装置２５は、中間転写ベルト２１あるいは自らのクリーニングブレードに対してステアリン酸亜鉛等の潤滑剤を塗布する潤滑剤塗布機構を具備している。潤滑剤の塗布を実施することで、クリーニングブレードの捲れ上がりの発生を抑えるとともに、ベルト表面とトナーとの付着力を弱めてクリーニング性能を高めている。
【００３０】
光書込ユニット３３は、光源としてレーザーダイオードを用いたレーザビームスキャナと呼ばれるものである。感光体３１Ｙ，Ｍ，Ｃ，Ｂｋの表面をそれぞれＹ，Ｍ，Ｃ，Ｂｋ用のレーザー光で光走査することで、Ｙ，Ｍ，Ｃ，Ｂｋの静電潜像を形成する。レーザーダイオードに代えて、ＬＥＤを光源として設けてもよい。光書込ユニット３３は、プリンタ部１の筺体に対し着脱自在となっており、離脱時には、画像形成部３０Ｙ，Ｍ，Ｃ，Ｂｋのプロセスカートリッジをそれぞれ独立で筺体から取り出せるように、それらを上方に向けて露出させる。
【００３１】
給紙部１０は、給紙カセット１１内の記録紙Ｐを、給紙ローラ１２と分離部材１３とによって１枚ずつに分離しながら給紙路に送り出す。送り出された記録紙Ｐは、複数の搬送ローラ対を経由した後、レジストローラ対１４におけるレジストニップに進入する。給紙カセット１１から記録紙Ｐが送り出されると、レジストローラ対１４における２つのレジストローラは、回転駆動を開始するが、レジストニップに記録紙Ｐを挟み込むと回転駆動を停止させる。そして、中間転写ベルト２１上の４色トナー像に重ね合わせ得るタイミングで、回転駆動を再開して記録紙Ｐを２次転写ニップに向けて送り出す。２次転写ニップでは、中間転写ベルト２１上の４色トナー像が２次転写電界やニップ圧の作用によって記録紙Ｐ上に一括２次転写されて、記録紙Ｐの白色と相まってフルカラー画像となる。
【００３２】
このようにしてフルカラー画像が形成された記録紙Ｐは、２次転写ニップを通過した後、定着装置４０に搬送される。定着装置４０は、加圧ローラ４２、定着ローラ４３、定着ベルト４４、加熱ローラ４５などを有している。定着ベルト４４は無端状に形成され、そのループ内側には定着ローラ４３と加熱ローラ４５とが配設されている。定着ローラ４３は、図中反時計回り方向に回転駆動されるのに伴って、定着ベルト４４を図中反時計回り方向に無端移動せしめる。また、加熱ローラ４５は図示しないハロゲンランプ等の発熱源を内包しており、定着ベルト４４を加熱する。また、定着ベルト４４のループ外側に配設された加熱ローラ４２は、定着ベルト４４における定着ローラ４３に対する掛け回し箇所にベルトおもて面側から当接して定着ニップを形成している。
【００３３】
また、定着装置４０は、定着ニップに進入する直前の定着ベルト４３の温度を検知する図示しない第１温度センサや、定着ニップに進入する直前の加圧ローラ４５の表面温度を検知する図示しない第２温度センサを有している。また、定着装置４０のケーシングには、２次転写ニップ通過後の記録紙を定着ニップに向けて案内する入口ガイド部や、定着ニップ通過後の記録紙をケーシング外に案内する出口ガイド部などが形成されている。
【００３４】
また、定着装置４０は、定着装置４０内に進入してきた記録紙の先端を検知する図示しない定着入口センサ、定着ニップを通過してケーシング外に排出される前の記録紙の先端を検知する図示しない定着出口センサなども有している。定着入口センサ、定着出口センサは何れも、反射型のフォトインタラプタによって構成されており、記録紙が通過しているときの反射光を検知することで記録紙の先端を検知する。定着入口センサ、定着出口センサは何れも、記録紙を検知している旨の信号を制御部５０に出力する。このような定着装置４０は、プリンタ部１の側板を開くと外部に露出して、外部への取り外しが可能な状態になる。また、加熱ローラ４５の発熱源に対する電源のオンオフは、上述した２つの温度センサによる検知結果に基づいて制御される。これにより、定着ニップ内が一定の温度範囲に制御される。
【００３５】
定着装置４０は、フルカラー画像が形成された記録紙Ｐを加熱ローラ４１と加圧ローラ４２とによる定着ニップに挟み込む。そして、記録紙Ｐを定着ニップ内で加熱・加圧することにより、各色のトナーを記録紙Ｐに定着させる。フルカラー画像が定着された記録紙Ｐは、定着装置４０を出た後、排紙ローラ対を経由して機外のスタック部にスタックされる。スタックされた記録紙Ｐは、図中Ｄ１の方向に沿ってスタック部から取り出される。
【００３６】
プリンタ部１の上に載置されたスキャナ１００は、軸１０１を中心にして回動することで、プリンタ部１の鉛直方向上方を向く保守点検口を開閉させるようになっている。開いたときのプリンタ部１に対する開放角度はおよそ９０［°］である。スキャナ１００の筺体には、前述の開閉操作のためにスキャナ１００を把持するための把持部１０２が形成されている。
【００３７】
また、スキャナ１００は、原稿を載置するコンタクトガラス１０３、第１走行体１０４、第２走行体１０５、結像レンズ１０６、読み取りセンサ１０７などを有している。
【００３８】
第１走行体１０４は、コンタクトガラス１０３の上面に載置された原稿に対して光を照射する図示しない光源、光源から原稿に照射され反射された光を反射する反射ミラーなどを具備しており、図中の左右方向に走行可能になっている。また、第２走行体１０５は、第１走行体１０４の反射ミラーによって反射された光を反射する複数の反射ミラーを具備しており、図中の左右方向に移動可能になっている。原稿の画像読取面で反射した反射光は、第１走行体１０４の反射ミラー、第２走行体１０５の反射ミラーで順次反射した後、結像レンズ１０６を経由して、読み取りセンサー１０７に至る。読み取りセンサー１０７は、入射された光を光電変換して、原稿の画像情報として出力する。
【００３９】
スキャナ１００の上部に載置されたＡＤＦ１５０は、軸１５１を中心にして回動することで、スキャナ１００のコンタクトガラスを露出させたり覆ったりするように開閉する。ＡＤＦ１５０の筐体には、前述の開閉操作のためにＡＤＦ１５０を把持するための把持部１５２が形成されている。
【００４０】
また、ＡＤＦ１５０は、原稿を載置する原稿台１５３、原稿台１５３に載置された原稿を給送する、図示しないモータ等を備えた駆動部などを有している。プリンタ部１を用いて複写を行うときには、原稿をＡＤＦ１５０の原稿台１５３にセットするか、ＡＤＦ１５０を開いてコンタクトガラス１０３上に原稿を載置してＡＤＦを閉じるかする。
【００４１】
以上のような構成の複写機において、フルカラー画像形成を行う場合、原稿をセットして操作パネルのコピースタートキーを押すか、あるいはパーソナルコンピュータのアプリケーションソフトからプリントスタート命令を送信する。すると、既に説明したプロセスで各色の感光体３１Ｙ，Ｍ，Ｃ，ＢｋにＹ，Ｍ，Ｃ，Ｂｋトナー像が形成され、これらが中間転写ベルト２１に重ね合わせて転写される。これによってベルト上に得られた４色重ね合わせトナー像は、２次転写ニップで記録紙に一括２次転写された後、定着装置４０によって記録紙に定着せしめられる。
【００４２】
次に、実施形態に係る複写機の特徴的な構成について説明する。
図２は、レジストローラ対１４とその周囲とを示す拡大構成図である。レジストローラ対１４を構成するレジストローラのうち、鉛直方向下方に位置する第１レジストローラ１３ａの側方には、紙粉収集手段８０が配設されている。この紙粉収集手段８０は、片持ち支持された状態で自らの自由端側を第１レジストローラ１３ａに当接させながら、第１レジストローラ１３ａのローラ部の表面に付着した紙粉を掻き取るブレード部材８１と、掻き取られた紙粉を受け入れて貯留する紙粉トレイ８２とを有している。
【００４３】
図３は、第１レジストローラ１４ａと紙粉収集手段８０と給紙ローラ１２との位置関係を説明するための模式図である。給紙ローラ１２は、回転可能に軸受けに受けられる回転軸部材１２ａと、回転軸部材１２ａに対して、軸線方向に所定のピッチで並ぶように固定された第１コロ１２ｂ、第２コロ１２ｃ、第３コロ１２ｄとを有している。そして、それら３つのコロを給紙カセット内の記録シートに圧接させている。
【００４４】
紙粉収集手段８０の紙粉トレイ８２は、ローラ軸線方向に４つに仕切られている。これにより、紙粉トレイ８２には、第１トレイ８２ａ、第２トレイ８２ｂ、第３トレイ８２ｃ、第４トレイ８２ｄが形成されている。第１トレイ８２ａは、第１レジストローラ１４ａにおける軸線方向の全領域のうち、給紙ローラ１２の第１コロ１２ｂと同じ位置にある領域から掻き取られた紙粉を受け入れる位置に形成されている。また、第２トレイ８２ｂは、第１レジストローラ１４ａにおける軸線方向の全領域のうち、給紙ローラ１２の第１コロ〜第２コロ間のコロ無し箇所と同じ位置ある領域から掻き取られた紙粉を受け入れる位置に形成されている。また、第３トレイ８２ｃは、第１レジストローラ１４ａにおける軸線方向の全領域のうち、給紙ローラ１２の第２コロ１２ｃと同じ位置にある領域から掻き取られた紙粉を受け入れる位置に形成されている。また、第４トレイ８２ｄは、第１レジストローラ１４ａにおける軸線方向の全領域のうち、第１〜第３トレイでは紙粉の受け入れがなされないその他の領域から掻き取られた紙粉を受け入れる位置に形成されている。
【００４５】
紙粉トレイ８２の鉛直方向上方には、第１紙粉検知センサー８３、第２紙粉検知センサー８４、第３紙粉検知センサー８５、第４紙粉検知センサー８６がローラ軸線方向に並ぶように配設されている。これらセンサーは何れも、反射型フォトセンサーからなり、発光素子から発した光を紙粉トレイ８２の底面に向けて照射する。そして、底面上に堆積した紙粉によって反射した反射光を自らの受光素子によって受光する。このような紙粉検知センサーから出力は、トレイ底面上における紙粉堆積量が増加するほど大きくなる。つまり、４つの紙粉検知センサーは何れも、紙粉トレイ８２内の紙粉の堆積量を検知している。
【００４６】
第１紙粉検知センサー８３は、第１トレイ８２ａの底面上での紙粉堆積量を検知する。その紙粉堆積量は、第１レジストローラ１４ａにおける軸線方向の全領域のうち、給紙ローラ１２の第１コロ１２ｂと同じ位置にある領域から掻き取られた紙粉量に相当する。また、第２紙粉検知センサー８４は、第２トレイ８２ｂの底面上での紙粉堆積量を検知する。その紙粉堆積量は、第１レジストローラ１４ａにおける軸線方向の全領域のうち、給紙ローラ１２の第１コロ〜第２コロ間のコロ無し箇所と同じ位置にある領域から掻き取られた紙粉量に相当する。また、第３紙粉検知センサー８５は、第３トレイ８２ｃの底面上での紙粉堆積量を検知する。その紙粉堆積量は、第１レジストローラ１４ａにおける軸線方向の全領域のうち、給紙ローラ１２の第２コロ１２ｃと同じ位置にある領域から掻き取られた紙粉量に相当する。また、第４紙粉検知センサー８３は、第４トレイ８２ｄの底面のうち、給紙ローラ１２の第３給紙コロ１２ｄに対応する領域上での紙粉堆積量を検知する。その紙粉堆積量は、第１レジストローラ１４ａにおける軸線方向の全領域のうち、給紙ローラ１２の第３コロ１２ｄと同じ位置にある領域から掻き取られた紙粉量に相当する。
【００４７】
４つの紙粉検知センサー（８３〜８６）による出力は、制御部５０に送られる。制御部５０は、プリンタ部１によって１万枚のプリントが行われる毎に、４つの紙粉検知センサー（８３〜８６）からの出力に基づいて、第１トレイ〜第４トレイにおけるそれぞれの紙粉堆積量を求める。そして、第１トレイ〜第４トレイについてそれぞれ、前回の紙粉堆積量と今回の紙粉堆積量との差に基づいて紙粉増加量を算出する。つまり、算出手段としての制御部５０は、堆積量検知手段たる４つの紙粉検知センサー（８３〜８６）による検知結果をそれぞれ定期的に取得して、紙粉収集手段たる第１トレイ〜第４トレイにおける紙粉増加量をそれぞれ定期的に算出する。その紙粉増加量が多くなるほど、ユーザーによって給紙カセット１１にセットされた記録紙が紙粉を発生させ易いものであることになる。そこで、制御部５０は、紙粉増加量について、予め所定の上限値を記憶している。そして、第１トレイ〜第４トレイにおける紙粉増加量のうち、何れか１つでも上限値を超えた場合には、記録紙について紙粉を発生させ易い紙種であると判定して、その旨を表示部に表示する。
【００４８】
なお、給紙カセット１１から記録紙Ｐが送り出されるとき、記録紙Ｐの搬送方向に直交する全領域のうち、第１コロ１２ｂ、第２コロ１２ｃ、第３コロ１２ｄが圧接せしめられている領域では、送り出される記録紙とその下の記録紙とが強く擦れる。このため、第１コロ１２ｂ、第２コロ１２ｃ、第３コロ１２ｄが圧接せしめられている領域では、圧接せしめられていない領域に比べて、紙粉が発生し易い。このことに関連して、制御部５０は、第１トレイ８２ａ、第３トレイ８２ｃ、第４トレイ８２ｄについては、それぞれ紙粉増加量の上限値としてそれぞれ同じ値を用いる。この一方で、第２トレイ８２ｂについては、他のトレイよりも小さな値の上限値を用いる。
【００４９】
かかる構成の本複写機においては、ユーザーによって給紙カセット１１にセットされる記録紙Ｐが紙粉を発生させ易いものであるほど、各トレイ内での紙粉増加量が大きくなる。そして、このような紙粉増加量に基づいて、ユーザーによって給紙カセット１１にセットされる記録紙Ｐについて、紙粉を発生させ易い紙種であるか否かを判定することができる。
【００５０】
次に、本発明を適用した状態判定システムの実施形態について説明する。なお、この状態判定システムの被検対象となる画像形成装置は、実施形態に係る複写機１である。
図４は、実施形態に係る状態判定システムを説明するためのブロック図である。この状態判定システムは、複写機１内に配設された紙粉収集手段８０、４つの紙粉検知センサー、及び演算手段の一部として機能する制御部５０と、遠隔判定部２００とからなる。遠隔判定部２００は、インターネット回線を介して、実施形態に係る複写機１に接続されており、複写機１との間でインターネット回線を介してデータ通信が可能になっている。遠隔判定部２００が配置されている場所は、複写機のメンテナンスを行うメンテナンス業者の施設である。この施設内では、遠隔判定部２００に対して、パーソナルコンピュータ３００が接続されている。
【００５１】
遠隔判定部２００は、データ収集器２０１、状態データベース２０２、演算部２０３、システムコントローラ２０４などを有している。また、演算部２０３は、各種の演算プログラムを記憶しているＲＯＭ、データ一時記憶手段たるＲＡＭ、演算処理を行うＣＰＵなどを具備している。複写機１は、特定のタイミング（プリント枚数積算値が設定値以上増加しており、しかも動作電圧オン直後又はプリント作業を終了したとき）に、上述した第１トレイ〜第４トレイについての紙粉増加量をそれぞれ状態判定装置２００に送信する送信する。状態判定装置２００は、データ収集器２０１によって複写機１から収集した紙粉増加量を、状態データベース２０２に順次記憶していく。そして、状態データベース２０２のデータに基づいて演算部２０３が指標値の算出や状態の判定を行う。
【００５２】
遠隔判定部２００に接続されているパーソナルコンピュータ３００は、遠隔判定部２００の状態データベース２０２にある各データに基づいて、後述する弱判別用のアルゴリズムを構築したり、遠隔判定部２００に送ったりすることができる。
【００５３】
複写機１の制御部５０は、実施形態に係る状態判定システムの演算手段の一部として機能する。具体的には、状態判定システムの演算手段は、後述する第１処理〜第６処理を実施するが、そのうち、制御部５０は、第１処理を実施する。第１処理は、複写機１の第１紙粉検知センサー８３、第２紙粉検知センサー８４、第３紙粉検知センサー８５、第４紙粉検知センサー８６による紙粉堆積量の検知結果を定期的に取得する。この定期的な取得タイミングは、複写機１によって１万枚のプリントが行われる毎である。そして、その定期的な検知結果に基づいて、複写機１の第２紙粉収集手段８０における第１トレイ〜第４トレイ（８２ａ〜ｄ）についての紙粉増加量をそれぞれ算出する。このような処理が第１処理である。
【００５４】
複写機１の制御部５０は、第１処理を終えると、インターネット回線を介して遠隔判定部２００に対して通信要求信号を送る。遠隔判定部２００のデータ収集器２０１は、その通信要求信号を受け取ると、第１トレイ〜第４トレイの紙粉増加量をそれぞれ送るように複写機１に指令を出し、複写機１から送られてくる４つのトレイについての紙粉増加量を一括して受信する。そして受信後、状態データベース２０２に新たなデータとしてそれぞれの紙粉増加量を追加記録する。演算手段の一部として機能する演算部２０３は、状態データベース２０２のデータに基づいて、第２処理〜第６処理を実施する。
【００５５】
具体的には、まず、状態データベース２０２のデータに基づいて、第１トレイ〜第４トレイ（８２ａ〜ｄ）についてそれぞれ、データ記録当初から現時点に至るまでの統計的ばらつき値を個別に算出する（第２処理）。統計的ばらつき値としては、標準偏差を求めるようになっているが、標準偏差の代わりに、分散を統計的ばらつき値として求めてもよい。
【００５６】
演算部２０３は、第２処理を終えると、次いで、第１トレイ〜第４トレイにおけるそれぞれの最新の紙粉堆積量に基づいて、各トレイ間における紙粉増加量のばらつきを示す値である収集位置間ばらつき値を算出する（第３処理）。収集位置間ばらつき値としては、収集位置間（トレイ間）での紙粉増加量の標準偏差を求めるようになっている。標準編纂の代わりに、分散を収集位置間ばらつき値として算出してもよい。
【００５７】
このような第３処理を実施すると、演算部２０３は、第１、第２、第３、第４トレイにおけるそれぞれの紙粉増加量の最新値、及び統計的ばらつき値、並びに、収集位置間ばらつき値、という９つの値からなるコンディションデータセットＣを構築する。コンディションデータＣは、後述するように時系列上で漸次ずらした互いに異なる複数の紙粉増加量に基づいて複数算出され、これによってコンディションデータセットＣ１〜Ｃｎが構成される。コンディションデータセットＣ１〜ＣｎはコンディションデータＣの時間的変化を示す。
【００５８】
演算部２０３は、コンディションデータＣ内の９つの値についてそれぞれ、正常であるか否かをそれぞれ個別に判別するための弱判別値を、それぞれに固有の弱判別アルゴリズムに基づいて個別に算出する（第４処理）。それぞれに固有の弱判別アルゴリズムは、それぞれ数１又は数２の式で表される。
【数１】
0005392616.tif 000002
【数２】
0005392616.tif 000003
【００５９】
弱判別値であるＯｕｔｉ値は、「１」又は「−１」となる。また、数１や数２の式において、ｉ＝１〜ｎである。また、ｂｉ、ｓｇｎｉはそれぞれ後述するブースティング法を用いて定められる判定条件である。ｂｉは、各コンディションデータＣｉを構成する９つの値にそれぞれ固有の閾値である。また、ｓｇｎｉは、各コンディションデータＣｉを構成する９つの値についての判別極性である。
【００６０】
各トレイそれぞれの紙粉増加量最新値及び統計的ばらつき値、並びに収集位置間ばらつき値、という９つの値のそれぞれについてのＯｕｔｉ値は、９つの値についてそれぞれ異常さ度合いを示すものである。但し、９つの値は、複写機１の異常前段状態の判定に寄与する度合いがそれぞれ異なっている。このため、そのままの値では、それぞれ異常前段状態の判定を決定付けることはできない。このことが弱判別と言われる所以である（スタンプ弱判別）。そこで、第４処理によって求められた９つの弱判別値に対してそれぞれ、固有の重み付け値を乗算した後（第５処理）、れぞれの乗算結果に基づいて、複写機１について、もうすぐ、搬送中の記録紙に対する紙粉の付着によって異常画像を発生させてしまうようになる異常前段状態であるか否かを判定するための指標値を算出する（第６処理）。これら第５処理、第６処理は、具体的には、次の数３の式に示した重み付き多数決法によって行われる。
【数３】
0005392616.tif 000004
【００６１】
この式においてＦは指標値を示している。また、ｉ＝１〜ｎである。αｉは、後述するブースティング法を用いて定められる重み付き多数決の計算方法であって、各コンディションデータＣｉを構成する９つの値に積算される値を持ち、各積算値の和によって指標値Ｆｉが算出される。
【００６２】
判定手段たる演算部２０３は、指標値が所定の閾値を上回った場合に、複写機１について異常前段状態であると判定して、アラームを鳴らして、施設内の作業員に知らせる。これにより、複写機１のユーザーのもとにサービスマンが派遣される。
【００６３】
なお、弱判別処理は、極めて高速な演算を可能にするというメリットがあり、しかも重み付き多数決を用いる本方法では、十分な精度が得られるので精度良くコストをかけずに故障危機状態判別技術を実現するには大変好適である。
【００６４】
次に、本発明者らが行った実験について説明する。本発明者らは、複写機１の試験機を用意して、連続プリントテストを行った。そして、その連続プリントテストの間に取得した各種の紙粉増加量に基づいて、ブースティング法による弱判別アルゴリズムの構築を試みた。ブースティング法は教師付き学習アルゴリズムであって、数理科学、Ｎｏ．４８９，ＭＡＲＣＨ、２００４「統計的パタン識別の情報幾何」に詳しく説明されている。ブースティング法を用いてｂｉ、ｓｇｎｉ、αｉを定めるべく、まず、複写機の状態が正常であると予め解っているときにおけるコンディションデータセットと、異常前段状態であると予め解っているときにおけるコンディションデータセットとを得た。
【００６５】
この実験における紙粉増加量、統計的ばらつき値、収集位置間ばらつき値の時系列データを図５、図６、図７に示す。これらの図における縦軸数値の算出、及びグラフへのデータプロットについては、次のようにして行った。即ち、１〜１０［千枚］のプリントにおける紙粉増加量を求めて最新値として、結果を図５のグラフにプロットする。次いで、１〜１０［千枚］のプリントにおける紙粉増加量の標準偏差を算出し、結果を図６のグラフにプロットする。また、１〜１０［千枚］のプリントにおけるトレイ間での紙粉増加量の標準偏差を算出し、結果を図７のグラフにプロットする。次に、算出対象とするデータ範囲をプリント１万枚ずつ枚数増加側にずらす。詳しくは、２〜１１［千枚］の範囲を算出対象とする。この範囲で、紙粉増加量の最新値を図５に、紙粉増加量の標準偏差を図６に、トレイ間での紙粉増加量の標準偏差を図７にそれぞれプロットする。このような操作を、データ範囲が２０００〜２００９［千枚］になるまで繰り返す。
【００６６】
なお、実験においては、プリント枚数が２００［千枚］に達した時点で、使用する記録紙を普通紙から再生紙に変更した。また、その後、始めからのプリント枚数の累積が６００［千枚］に達した時点で、使用する記録紙を再生紙から普通紙に変更した。つまり、１〜２００［千枚］では普通紙を使用し、２０１〜６００［千枚］では再生紙を使用し、６０１〜９００［千枚］では普通紙を使用している。
【００６７】
図５、図６、図７においてそれぞれ、２００［千枚］や６００［千枚］の付近でグラフが大きく変化しているのは、そのためである。普通紙に比べて再生紙の方が紙粉を発生させ易いので、図５では２００［千枚］の時点で紙粉増加量が一気に上昇したり、６００［千枚］の時点で紙粉増加量が一気に下降したりしている。
【００６８】
上述のようにして得られたコンディションデータセットから、ブースティング法によってｂｉ、ｓｇｎｉ、αｉを求めた。そして、得られたｂｉ、ｓｇｎｉ、αｉの正当性を確認するために、異常画像を発生している状態である異常状態に相当するコンディションデータを、学習用データとテスト用データのどちらにも含めるように２つにランダムに振り分けた。これにより、学習用コンディションデータセットと、テスト用コンディションデータセットとを作成した。次いで、ブースティング法による学習を行うにあたって、学習用コンディションデータセットにおける各データの変化をプリント枚数積算値を横軸とするグラフで表し、目視により異常期間の推定を行った。そして、学習用コンディションデータセットの異常期間に該当する区間のＯｕｔｉを−１（異常状態期間）とする一方で、それ以外のＯｕｔｉを１（正常期間）とした。次いで、ブースティング法による１００回の繰り返し学習を行わせ、ｂｉ＝１〜ｂｉ＝１００、ｓｇｎｉ＝１〜ｓｇｎｉ＝１００、αｉ＝１〜αｉ＝１００を決定した。なお、ブースティング法による１００回の繰り返し学習を行わせるために、学習には、１００個のコンディションデータを用いた。
【００６９】
学習に用いたコンディションデータを用いて指標値Ｆを計算した結果を図８に示す。ラベル（Ｏｕｔｉ）のついた教師付きデータは適切に学習が行われ、これによって異常状態の期間だけで指標値Ｆの極性をマイナスにするような、弱判別処理及び重み付き多数決処理を行えることが確認された。
【００７０】
次に、テスト用コンディションデータセットを用いて、かかる弱判別処理及び重み付き多数決処理による判定精度を検証した結果を図９に示す。テストにおいても、学習用コンディションデータセットと同様に、１００個のコンディションデータセットを用いている。先に決定したｂ、ｓｇｎ、αに基づく指標値Ｆは、紙粉による異常画像が発生する直前で、プラスからマイナスに変化している。従って、実施形態に係る状態判定システムでは、予めブースティング法によって構築しておいたｂｉ、ｓｇｎｉ、αｉを用いた弱判別アルゴリズムに基づいて指標値Ｆを求めることで、複写機１が異常前段状態になった際に、そのことを精度良く検出することができる。
【００７１】
なお、実験において、紙粉による異常画像が発生したとき、複写機１の第１トレイ〜第２トレイ（８２ａ〜８２ｄ）は、何れもまだ紙粉収容可能量に相当の余裕があった。よって、異常画像は、紙粉トレイからの紙粉の溢れによるものではなく、レジストローラの軸や搬送路周辺の各種部材などに堆積した紙粉の飛散によるものである。ユーザーでは、プリンタ部１内のどの部材を清掃すればよいのかを判断するのは困難であるが、サービスマンであれば、紙粉の堆積箇所を容易に特定することができる。異常状態になる前の異常前段状態になったことを検出することで、異常状態になる直前でサービスマンの派遣を要請することができる。
【００７２】
これまで、遠隔判定部２００を複写機１とは別体として遠隔地に設けた例について説明したが、複写機１内に、遠隔判定部に相当するものを内蔵してもよい。
【符号の説明】
【００７３】
Ｐ：記録紙
１：複写機（画像形成装置）
１４：レジストローラ対（搬送ローラ対）
５０：制御部（算出手段、判定手段）
８２ａ〜ｄ：トレイ（紙粉収集手段の一部）
８３〜８６：紙粉検知センサー（堆積量検知手段）
２０３：遠隔判定部（算出手段、判定手段）
【先行技術文献】
【特許文献】
【００７４】
【特許文献１】特開２００９−２０３７０号公報
【図１】
0005392616.tif 000005
【図２】
0005392616.tif 000006
【図３】
0005392616.tif 000007
【図４】
0005392616.tif 000008
【図５】
0005392616.tif 000009
【図６】
0005392616.tif 000010
【図７】
0005392616.tif 000011
【図８】
0005392616.tif 000012
【図９】
0005392616.tif 000013